(57)【要約】      （修正有）【課題】より簡易構成で且つ持ち運び、設置に容易な害鳥獣防除具を提供する。【解決手段】害鳥獣防除具９は、本体３に青色光を発光するＬＥＤの青色発光電球４、青色発光を反射する湾曲円盤状の反射盤、青色光及び反射光が透過して拡散する拡散レンズ６、及び青色発光電球に電力を供給する充電池を備えている。本体を支持する支柱２は下端が先鋭に尖っており、容易に土壌へ突き刺して立設可能である支持杭と成っている。また、充電池は発電ソーラーパネル１を電気供給元としている。【選択図】図１
0003212888.tif 000002
【実用新案登録請求の範囲】
【請求項１】
青色光を発光するＬＥＤの青色発光電球、前記青色発光を反射する湾曲円盤状の反射盤、前記青色光及び前記反射光が透過して拡散する拡散レンズ、及び前記青色発光電球に電力を供給する充電池を備えていることを特徴とする害鳥獣防除具。
【請求項２】
垂設した支持杭を備え、土壌に立設可能としたことを特徴とする請求項１に害鳥獣防除具。
【請求項３】
充電池がリチューム電池であると共に発電ソーラーパネルを電気供給元とした  ことを特徴とする請求項１または２に記載の害鳥獣防除具。
【請求項４】
青色発光電球の常灯と点滅の切り替え手段を備えていることを特徴とする請求項１乃至３のいずれかに記載の害鳥獣防除具。
【考案の詳細な説明】
【技術分野】
【０００１】
本考案は、人や農作物等に危害を与える害獣や害鳥獣を追い払うことができる害鳥獣防除具に関するものである。
【背景技術】
【０００２】
近年、イノシシやシカ等の獣の増加に伴い山間部の自然環境への影響を与え、車あるいは人が山間部において出くわす危険が頻繁に発生し、獣が人里に侵入し農作物を荒らすこと、ゴルフ場や住宅地にまで侵入して人の生活に害を与える危険行動に至ることが問題となっている。
また、カラス等の鳥が街中でゴミをあさり、糞害の発生や鳴き声等により人に不快感を与えるという問題も生じている。
そのため、人の生活に害を与えるこれら害鳥獣を追い払うための害鳥獣防除対策が提案されている。
【０００３】
例えば、特開２００５−１５１８３７号公報では、比較的遠く離れた距離から威嚇効果を発揮することができ、しかも、長期間にわたって同じ性能を維持することを目的とした侵入防止装置として、赤外線センサと、赤外線センサがオンとなったときに威嚇光を発するレーザー発射装置および威嚇音を発する音声発生装置と、太陽電池に発生した電気エネルギーを蓄えるとともに赤外線センサ、レーザー発射装置および音声発生装置に電力を供給する充電電池と、周囲が暗くなったときに点滅する複数の発光ダイオードとを備えた構成が開示されている。
【０００４】
また、特開２０１２−２３１７３６号公報では、害鳥獣に対してより効果的に不快感を与え、これら害鳥獣を追い払う目的の害鳥獣防除装置では、光を発することにより害鳥獣を追い払う装置であって、赤色、緑色又は両者の中間の色のうちの１色又は２色の光を発する第１光源と、青色又は紫色の光を発する第２光源の２種類の光源のみを有し、これにより、防除対象の害鳥獣が有する２〜３種類の錐体細胞に直接働きかけて効果的に刺激・不快感を与えることができると共に、害鳥獣が慣れにくい２色以上の光を用いるため、害鳥獣を追い払う効果を高めることが開示されている。
【０００５】
さらに、実用新案登録第３１１７６１３号公報では、電源供給元で充電池に充電し一定の明るさ以下で光センサ−が電源ＯＮし、円形プリント基板に配線した青色発光源を電子部品で回転又は１個おきに間欠発光させ四方から見ても、２個の目が移動しているように見えることにより夜行性動物に危機感を与え進入防除に役立つ青色発光源を発光させる間欠発光装置が開示されている。
【先行技術文献】
【特許文献】
【０００６】
【特許文献１】特開２００５−１５１８３７号公報
【特許文献２】特開２０１２−２３１７３６号公報
【特許文献３】実用新案登録第３１１７６１３号公報
【考案の概要】
【考案が解決しようとする課題】
【０００７】
上記従来の害鳥獣防除に関する装置等は、赤外線センサと威嚇光を発するレーザー発射装置を連係したもの、２色以上の光を用いるもの、或いは青色発光源を回転又は１個おきに間欠発光させ２個の目が移動しているようにしたもの等、複雑な構成を有するものである。
【０００８】
そこで、本考案はより簡易構成で且つ持ち運び、設置に容易な害鳥獣防除具を提供せんとするものである。
【課題を解決するための手段】
【０００９】
本考案の請求項１の害鳥獣防除具は、青色光を発光するＬＥＤの青色発光電球、前記青色発光を反射する湾曲円盤状の反射盤、前記青色光及び前記反射光が透過して拡散する拡散レンズ、及び前記青色発光電球に電力を供給する充電池を備えていることを特徴とするものである。
【００１０】
請求項２の害鳥獣防除具の考案は、請求項１の考案において、垂設した支持杭を備え、土壌に立設可能としたことを特徴とするものである。
【００１１】
請求項３の害鳥獣防除具の考案は、請求項１または２の考案において、充電池がリチューム電池であると共に発電ソーラーパネルを電気供給元としたことを特徴とするものである。
【００１２】
請求項４の害鳥獣防除具の考案は、請求項１乃至３のいずれかの考案において、青色発光電球の常灯と点滅の切り替え手段を備えていることを特徴とするものである。
【考案の効果】
【００１３】
請求項１の害鳥獣防除具の考案においては、鳥獣が嫌がり忌避作用を奏するとされる青色光を発光することで害鳥獣の防除効果を発揮し、ＬＥＤの青色発光電球としたため耐久性が向上し発光色も鮮明となる効果がある。
【００１４】
そして、前記青色発光を反射する湾曲円盤状の反射盤での光増幅効果が得られ、拡散レンズで広角度への忌避作用を促進できる効果を期待できるものである。
さらに、前記青色発光電球に電力を供給する充電池を備えることで設置条件を緩和できる効果も有する。
【００１５】
請求項２の考案は請求項１の効果に加えて、垂設した支持杭を備えるため、土壌に立設可能としたことで、必要な場所への設置及び移動を簡易に行える効果を発揮する。
【００１６】
請求項３の考案は、充電池がリチューム電池であると共に発電ソーラーパネルを電気供給元としたので、経済性に資するものとなり、請求項４の考案は、青色発光電球の常灯と点滅の切り替え手段を備え、設置状況に応じた発光作用を選択できるものとなる。
【図面の簡単な説明】
【００１７】
【図１】本考案の一実施形態を示す正面図である。
【図２】本考案の一実施形態を示す側面図である。
【図３】本考案の一実施形態を示す電気的構成のブロック図である。
【図４】本考案の一実施形態を示す本体の簡略化した構成図である。
【考案を実施するための形態】
【００１８】
本考案実施の形態を図面に基づいて説明する。
図１は本考案の一実施形態を示す正面図、図２は同側面図であり、害鳥獣防除具９は支柱２に支持された本体３と、当該本体３から上方に延設された発電ソーラーパネル１で構成されている。
発電ソーラーパネル１の上面には太陽電池が全面に敷設され、支持軸に対してフレキシブルに方向及び水平角度を変えられものと成っている。
【００１９】
支柱２は下端が先鋭に尖っており、容易に土壌へ突き刺して立設可能である支持杭と成っており、素材については目的の作用を奏するもので足り、特に限定されるものではない。
本体３には、青色光を発光するＬＥＤの青色発光電球４、前記青色発光を反射する湾曲円盤状の反射盤５、前記青色光及び前記反射光が透過して拡散する拡散レンズ６、及び前記青色発光電球に電力を供給する充電池７を備えている。
【００２０】
本体３内の充電池７はリチューム電池が好ましく、前記発電ソーラーパネル１及びＬＥＤの青色発光電球４と電気的に接続され、さらにＬＥＤの青色発光電球４の発光のＯＮ／ＯＦＦを制御する制御装置（ＣＰＵ）８が設けられている（図３）。
制御装置８による制御のもと、常灯と点滅の切り替えを行うこと、また、発電ソーラーパネル１から充電池７に最大定格電圧より大きい電圧が印加されることを防止すること、昼夜判別回路により昼夜を判別してＬＥＤの青色発光電球４を点滅させることも可能である。
【００２１】
本実施例で用いる充電池（リチューム電池）７は、ＬＥＤの青色発光電球４（本実施例では３個）に少なくとも１２時間は充分に給電可能な蓄電容量を有し、昼間は発電ソーラーパネル１により発電される電力が蓄電され、ＬＥＤの青色発光電球４に制御装置８（ＣＰＵ）を経由して電力を供給することにより、各ＬＥＤの青色発光電球４を発光させる。
【００２２】
ＬＥＤの青色発光電球４が発する青色の光は、哺乳類が有するＳ錐体細胞が感じる波長帯内の光であり、特定の動物の眼が有する錐体細胞が反応する波長の光を発することにより、その動物の色覚に直接働きかけて効果的に忌避作用を生じさせることができる。
【００２３】
図４は本体３の簡略化した構成図であり、青色光を発光するＬＥＤの青色発光電球４の背面側には反射盤５が配置されており、一方、青色発光電球４の前面側には拡散レンズ６が配置されている。
【００２４】
反射盤５は湾曲円盤状を成し、ＬＥＤの青色発光電球４の青色発光を反射する。
また、拡散レンズ６は前記ＬＥＤの青色発光電球４の青色光及び前記反射盤５の反射光が透過する際に屈折させて拡散させるものであり、例えばプリズムをアトランダムに配置して不規則な凹凸面を形成し肉厚を変化させることで形成できる。
【００２５】
以上説明した本考案の技術的範囲は、上記の実施の形態例に限定されるものではなく、本明細書及び図面に記載した事項から明らかになる本考案が真に意図する技術的思想の範囲全体に広く及ぶものである。
【符号の説明】
【００２６】
１  発電ソーラーパネル
２  支柱
３  本体
４  青色発光電球
５  反射盤
６  拡散レンズ
７  充電池
８  制御装置
９  害鳥獣防除具
【図１】
0003212888.tif 000003
【図２】
0003212888.tif 000004
【図３】
0003212888.tif 000005
【図４】
0003212888.tif 000006